(57)【特許請求の範囲】
【請求項１】
屋根下地上に施工される矩形の屋根葺材であって、隣接する他の屋根葺材と重なるように矩形の２辺に延在するＬ字状の重ね代部分を有する屋根葺材において、
防水機能を備えた防水本体部と、
屋根下地面に粘着する下面側の自着層と、
該自着層の下面に粘着した帯状テープと、
前記自着層及び帯状テープの下面を覆う剥離紙と、
前記屋根下地と前記自着層との間に通気路を形成するための通気路形成手段とを有し、
前記通気路形成手段は、前記通気路を形成するように前記帯状テープの長手方向に沿ってその下面に形成された凹凸又は溝を有し、
前記帯状テープの端部が、隣接する他の屋根葺材の帯状テープと重なり合って、隣接する各屋根葺材の通気路同士を連続せしめるように、前記重ね代部分から外方にはみ出すことを特徴とする防水シート型の屋根葺材。
【請求項２】
前記防水シート型の屋根葺材は、屋根下地に一層のみ貼付して施工を終了する単層型であることを特徴とする請求項１に記載の防水シート型の屋根葺材。
【請求項３】
前記単層型の防水シート型の屋根葺材は、露出面に化粧部材を備えたことを特徴とする請求項２に記載の防水シート型の屋根葺材。
【請求項４】
前記重ね代部分の表面には、上面側の自着層が形成され、該自着層の表面は、上面側の剥離紙で覆われていることを特徴とする請求項１乃至３のいずれか１項に記載の防水シート型の屋根葺材。
【請求項５】
前記屋根葺材から屋根勾配上側に突出する前記帯状テープのはみ出し部分が、屋根勾配上側の他の屋根葺材の帯状テープと縦横交叉して重なり、前記通気路を連続させることを特徴とする請求項１乃至４のいずれか1項に記載の防水シート型の屋根葺材。
【発明の詳細な説明】
【０００１】
【発明の属する技術分野】
本発明は、防水シート型の屋根葺材に関し、特に沖縄地方などの熱い地方であっても、コンクリート下地に葺いた場合における膨れの発生を防止した防水シート型の屋根葺材に関する。
【０００２】
【従来の技術】
屋根の防水工事の際には、コンクリート下地の上に単層型の非歩行用露出型防水シート（例えば、田島ルーフィング製のガムクールキャップＥＸ、厚さ３．５ｍｍ）を貼り付けて防水工事を行う場合がある。ビル等の大型の陸屋根から一般住宅等の勾配屋根まで、幅１ｍ×長さ８ｍの帯状の前記防水シートを貼り付けていくのが一般的である。
ここに、単層型の防水シートとは、コンクリート下地等の屋根下地材に直接に貼付し、１枚のみで防水層を形成するタイプの防水シートをいう。
【０００３】
【発明が解決しようとする課題】
しかしながら、この非歩行用露出型防水シートはコンクリート下地への密着工法を採用するため、必然的に「膨れ」の問題が発生し、特に熱い地方（例えば、沖縄地方）では防水シートの露出型防水層の膨れが非常に多く見受けられる。その理由は、露出型防水層が屋根全体を包み込むので、強い太陽熱を受け、コンクリート中の水分が水蒸気となって、露出型防水層の裏面側に溜まり、水蒸気の逃げ場がないため、その圧力で膨れが発生すると考えられる。この膨れの問題は、防水機能を低下させ、見た目にも良くないので、早急の対策が必要である。
【０００４】
そこで本発明の課題は、例えば熱い地方で屋根葺材として使用した場合であっても、雨漏りや膨れを起すことの無い防水シート型の屋根葺材を提供することである。
【０００５】
【課題を解決するための手段】
前記課題を解決するために本発明は、屋根下地上に施工される矩形の屋根葺材であって、隣接する他の屋根葺材と重なるように矩形の２辺に延在するＬ字状の重ね代部分を有する屋根葺材において、
防水機能を備えた防水本体部と、
屋根下地面に粘着する下面側の自着層と、
該自着層の下面に粘着した帯状テープと、
前記自着層及び帯状テープの下面を覆う剥離紙と、
前記屋根下地と前記自着層との間に通気路を形成するための通気路形成手段とを有し、
前記通気路形成手段は、前記通気路を形成するように前記帯状テープの長手方向に沿ってその下面に形成された凹凸又は溝を有し、
前記帯状テープの端部が、隣接する他の屋根葺材の帯状テープと重なり合って、隣接する各屋根葺材の通気路同士を連続せしめるように、前記重ね代部分から外方にはみ出すことを特徴とする防水シート型の屋根葺材を提供する。
好ましくは、重ね代部分の表面には、上面側の自着層が形成され、自着層の表面は、上面側の剥離紙で覆われる。更に好ましくは、屋根葺材から屋根勾配上側に突出する帯状テープのはみ出し部分が、屋根勾配上側の他の屋根葺材の帯状テープと縦横交叉して重なり、上記通気路を連続させる。
【０００６】
このようにすれば、例えば、図３に示すように、コンクリート下地の上に屋根葺材ＢＸ（図１（Ａ））を葺いた場合に、屋根葺材ＢＸに貼付した帯状テープ（防水テープ）の長手方向に沿って通気路形成手段を備えているので（図２の碁盤目状通気路の防水テープ４０Ａ）、コンクリート下地と屋根葺材ＢＸとの間には、通気路４１Ａ（図４参照）が形成される。従って、太陽熱で熱せられた場合であっても、コンクリート下地と屋根葺材ＢＸとの間の膨張空気は軒先から外部に排出されて分散・緩和されるので、膨れが発生することがない。
【０００７】
【発明の実施の形態】
以下、本発明の防水シート型の屋根葺材を図示の実施例に基づいて説明する。以下の実施例に使用する防水シートは、露出面に各種の化粧材を貼付した単層型であり、例えば、田島ルーフィング製のガムクールキャップＥＸ、厚さ３．５ｍｍが好適である。
【０００８】
（１）第１実施例
本実施例は、勾配屋根（例えば、切妻屋根）に適用する防水シート型の屋根葺材である。
図１（Ａ）は本実施例の防水シート型の屋根葺材ＢＸの平面図，側面図、図１（Ｂ）は拡大断面図、図２は「通気路を形成するための通気路形成手段」の第１具体例の碁盤目状通気路の防水テープの斜視図、図３は防水シート型の屋根葺材ＢＸを葺いた場合の平面図，側面図である。
【０００９】
図１（Ａ），（Ｂ）に示すように、防水シート型の屋根葺材ＢＸ（以下、屋根葺材ＢＸと記す）は１ｍ×３０ｃｍの長方形（矩形）をなし、防水機能を有する防水本体部１０と、砂粒等を圧着または貼付した化粧部２０と、コンクリート下地等に貼付する粘着材等からなる下面側の自着層３０ａと、後述する通気路を形成した防水テープ部４０と、下面側の自着層３０ａを覆う剥離紙５０ａとを備えてなる。
【００１０】
防水本体部１０は、露出面側の改質アスファルト層１１と、合成繊維不織布１２と、下地側の改質アスファルト層１３と、防水シートを隣接させて重ねた場合に（図３参照）、防水効果を確実にするための重ね代１４とを備えてなる。重ね代１４の表面には上面側の自着層３０ｂを形成し、更に自着層３０ｂの表面を上面側の剥離紙５０ｂで覆う。重ね代１４は屋根葺材ＢＸの長辺と右辺に沿って夫々幅１０ｃｍでＬ字状に形成する。なお、防水本体部１０には改質アスファルト系のものを使用したが、例えば合成ゴムシート系や合成樹脂シート系のものでもよい。
【００１１】
剥離紙５０ａは、屋根葺材ＢＸの作業性，運搬性,保管性等の向上用のために貼付しておき、屋根葺き作業の際に剥離する。
防水テープ部４０はコンクリート下地側に通気路４１を形成してあり、具体例を図２により説明する。
【００１２】
＜防水テープの第１具体例＞
図２は、第１具体例の碁盤目状通気路の防水テープ４０Ａである。
防水テープ４０Ａは材質が発泡ポリエチレン樹脂であり、全幅が１５〜２０ｍｍ、厚みが１〜２ｍｍ、碁盤目状に形成した正方形の凸部（突起）４２Ａにより通気路４１Ａを形成する。凸部４２Ａは２ｍｍ×２ｍｍであり、通気路４１Ａの深さは１ｍｍである。
後に図５を用いて説明するように防水テープ４０Ａは縦横に通気路４１Ａを形成しているので、コンクリート下地に貼付した場合に膨張した空気が逃げ易いという（効率良く逃げる）、特徴を有する。
【００１３】
かかる構成の防水テープ４０Ａを、図１（Ａ），（Ｂ）に示すように、通気路４１Ａがコンクリート下地側になるようにして屋根葺材ＢＸの自着層３０ａに貼付する。この際、縦方向の防水テープ４０Ａは、長さを約２００ｍｍにして約１００ｍｍ間隔で９本平行に貼付し、上方にはみ出し部４３ａを設ける。このはみ出し部４３ａは、屋根葺材ＢＸを図３の如く連続して葺いた場合に、隣接する屋根葺材ＢＸとの間の通気路を確保する機能を有する（図５により後述する）。
【００１４】
また、横方向の溝型通気路の防水テープ４０Ａは長さが約９００ｍｍであり、右方にはみ出し部４３ｂを設ける。このはみ出し部４３ｂは、前記はみ出し部４３ａと同様の機能を持つ。
【００１５】
次に以上の構成の屋根葺材ＢＸを使用して屋根を葺く場合を、図１〜図６を参照しつつ説明する。図３は前述の如く屋根葺材ＢＸを貼付した場合の平面図，側面図、図４（Ａ）は屋根葺材ＢＸを貼付した屋根の断面図、図４（Ｂ）は屋根葺材ＢＸを重ねた場合の通気ルート（通気路）を示す拡大断面図、図５は膨張した空気の通気ルートを示す概念図、図６は防水テープを貼付していない屋根葺材ＢＹである。
【００１６】
先ず図３，図４（Ａ），（Ｂ）に示すように、図３の左下の横方向に１段目・１枚目の屋根葺材ＢＸ１−１を、防水テープ４０Ａをスラブコンクリート（コンクリート下地）５１側にして貼付する。次に１段目・２枚目の屋根葺材ＢＸ１−２を重ね代（重ね部）１４で重ねて貼付し、以下同様に右方に１段目の屋根葺材ＢＸを順次貼付していく。
【００１７】
次に、縦方向２段目・１枚目の屋根葺材ＢＸ２−１を前記屋根葺材ＢＸ１−１の重ね代１４に重ねて貼付する。この際、１段目・1枚目の屋根葺材ＢＸ１−１の防水テープ４０Ａ−１と、２段目・１枚目の屋根葺材ＢＸ２−１の防水テープ４０Ａ−２との位置関係は互い違いになり（図３参照）、図４（Ｂ）の符号Ａに示すように、通気路４１Ａは重なっている。
【００１８】
図５に示すように、２枚目の防水シートにおける縦方向に隣接した２本の防水テープ４０Ａａ，４０Ａｂの間には横方向の防水テープ４０Ａｃが貼付されている。従って、矢印で示す通気ルート（通気路）が形成され、隣接した２本の防水テープ４０Ａａ，４０Ａｂの間には膨張空気が流れ、コンクリート下地から発生する水蒸気の圧力は分散・緩和される。
【００１９】
更に、１枚目の防水テープ４０Ａｄのはみ出し部４３ａが前記横方向の防水テープ４０Ａｃのほぼ中央部に重なるので、防水テープ４０Ａｄの矢印方向に膨張空気が流れ、３枚の防水シート４０Ａａ，４０Ａｂ，４０Ａｄ間の通気ルートが確保される。このようにして貼付した防水シート間の通気ルート４１Ａを通った膨張空気は、図４（Ｂ）の矢印を通過し、軒先水切り金物の部分から外部に排出される。依って、強い太陽光により熱せられても、防水シートが膨れを起こすことがない。
【００２０】
以下、順次２段目・２枚目，３枚目と貼付していく。縦方向の３段目以降の屋根葺材ＢＸの貼付も同様である。
【００２１】
また、屋根の下端部やケラバ（傍軒）には、図６に示す屋根葺材ＢＹを使用する。この屋根葺材ＢＹは、防水テープを貼付していない点を除いては前記屋根葺材ＢＸと同一である。防水テープを貼付した屋根葺材ＢＸをケラバや頂部に使用すると、水が侵入するおそれがある。そこで、ケラバ等には防水テープの無い屋根葺材ＢＹを使用し、水の侵入を防止する。
【００２２】
＜防水テープの第２具体例＞
図７（Ａ）は、第２具体例の長方形突起・碁盤目状通気路の防水テープ４０Ｂである。
防水テープ４０Ｂと前記第1具体例との相違点は、凸部４２Ｂを長方形にした点である。４１Ｂは通気路である。
【００２３】
＜防水テープの第３具体例＞
図７（Ｂ）は、第３具体例の短円柱状・碁盤目状通気路の防水テープ４０Ｃである。
防水テープ４０Ｃと前記第1具体例との相違点は、凸部４２Ｃを短円柱状にした点である。４１Ｃは通気路である。
【００２４】
＜防水テープの第４具体例＞
図８（Ａ）は、第４具体例の碁盤目状通気路の防水テープ４０Ｄである。
防水テープ４０Ｄと前記第1具体例との相違点は、凸部４２Ｄを四角錐状の台形にした点である。４１Ｄは通気路である。
【００２５】
＜第５具体例＞
図８（Ｂ）は溝型通気路の防水テープ４０Ｅである。
防水テープ４０Ｅと前記第1具体例との相違点は、テープの長手方向に平行な境界壁４２Ｅを形成し、平行な通気路４１Ｅを形成した点である。この防水テープ４０Ｅは、陸屋根を歩行用防水仕上げに使用する場合に好適である。その理由は、境界壁４２Ｅが下地に密着するので、耐荷重性が高くなり、歩行者等の荷重がかかっても、通気路４１Ｅが潰れることがない。また、歩行者用防水仕上にすると、荷重等により防水層の自着層部分が通気路４１Ｅを構成する溝に入り込み易いので、境界壁を設けることで、溝内に自着層の侵入を防止し、通気路を確保できる。
これに対し、他の第１〜第４具体例の場合は防水層に荷重がかからない露出非歩行者用防水シートであり、縦横に溝（凹部）を形成し通気効率を良好にしてある。
【００２６】
（２）第２実施例
前記第１実施例が勾配屋根用の縦１ｍ×横３０ｃｍであったのに対し、本実施例は陸屋根用の長さ８ｍ×幅１ｍの場合である。その他の防水本体部１０，化粧部２０，自着層３０ａ，防水テープ部４０，剥離紙５０ａ等の材質は第１実施例と同一である。即ち、本実施例は、本発明を陸屋根等に使用する露出単層型シート防水材に適用した場合である。
【００２７】
図９に示すように、本実施例の露出単層型シート防水材ＢＺは、裏面側に約１０ｃｍ間隔で横平行に防水テープ４０Ａを貼付し、縦方向に１本の防水テープ４０Ａを貼付する。
【００２８】
（３）変形例
前記第１，第２実施例では防水シート型の屋根葺材の化粧部として砂粒を塗布した場合を説明したが、図１０に示すように、化粧部（例えば、砂粒，合成樹脂シート，合成ゴムシート）２０の上に耐火塗料や仕上塗料２１を塗布してもよい。
【００２９】
なお、前記実施例，変形例では「露出単層型」の防水シート型の屋根葺材の場合を説明したが、本発明を下貼材に適用し、通気路形成手段を備えた帯状テープ（防水テープ）を下貼材に貼付してもよい。この場合は、先ず防水テープを貼付した下貼材をコンクリート下地に貼付し、更にその上に従来の単層型の非歩行用露出型防水シートを貼付する「複層型」の施工となる。
【００３０】
【発明の効果】
以上説明したように本発明によれば、以下の効果を奏することができる。
１．屋根露出防水層の膨れを防止することができる。従って、膨れが発生しないので、防水層が綺麗に仕上がり、耐久性がアップし、手直し工事が減少する。
２．単層型のため、工程が少なく施工性が良く、工期を短縮でき、材料費，工賃等のコストダウンができ、屋根を軽量化できる。
【００３１】
３．膨れを防止しているので、防水型化粧屋根葺材として、アーチ型，ドーム型，曲面型等の特殊な勾配屋根や一般屋根に使用可能である。
４．従来の瓦，スレート屋根に比較して軽量であるため、運搬費や荷上労務費等のコストを抑制できる。
５．防水型の屋根葺材なので、雨漏りがしない。
６．屋根材の剥がれ，雨漏りが無いので、長期に渡りメンテナンスの費用が減少する。
【図面の簡単な説明】
【図１】本発明の防水シート型の屋根葺材の第１実施例における、（Ａ）平面図，側面図、（Ｂ）拡大断面図である。
【図２】同第１実施例に使用する碁盤目状通気路の防水テープの斜視図である。
【図３】同第１実施例の防水シート型の屋根葺材を使用して屋根を葺いた場合の平面図，側面図である。
【図４】（Ａ）は図３の場合における屋根を含めた断面図、（Ｂ）は膨張空気が外部に排出される経路を示す図である。
【図５】同第１実施例において、貼付した防水テープ間の通気ルートを説明する概念図である。
【図６】同第１実施例の屋根葺材から防水テープを除いた屋根葺材の平面図，側面図である。
【図７】防水テープの他の具体例を示す斜視図であって、（Ａ）は第２具体例、（Ｂ）は第３具体例である。
【図８】防水テープの他の具体例を示す斜視図であって、（Ａ）は第４具体例、（Ｂ）は第５具体例である。
【図９】同第２実施例における平面図，側面図である。
【図１０】同第１，第２実施例に使用する屋根葺材等の変形例の拡大側断面図である。
【符号の説明】
ＢＸ  第１実施例の防水シート型の屋根葺材
１０  防水本体部
１１，１３  改質アスファルト層
１２  合成繊維不織布
１４  重ね代
２０  化粧部
３０ａ，３０ｂ  自着層
４０  防水テープ部
４０Ａ  碁盤目状通気路の防水テープ
４１  通気路
４１Ａ  通気路
４２Ａ  凸部
４３ａ，４３ｂ  はみ出し部
５０ａ，５０ｂ  剥離紙
【図１】
0004383612.tif 000002
【図２】
0004383612.tif 000003
【図３】
0004383612.tif 000004
【図４】
0004383612.tif 000005
【図５】
0004383612.tif 000006
【図６】
0004383612.tif 000007
【図７】
0004383612.tif 000008
【図８】
0004383612.tif 000009
【図９】
0004383612.tif 000010
【図１０】
0004383612.tif 000011